(57)【要約】      （修正有）【課題】収納した針装置の汚染を回避可能で安全性が高く、針装置を複数回接続・分離して使用するような場合でも、比較的安全且つ確実にその操作が可能な針装置収納体を提供する。【解決手段】針装置収納体１は、軸方向に長尺の有底円筒形状で、その先端が閉口し、その基端が開口１５した中空部位１１、１３が形成され、前記中空部位に針装置が収納可能な収納体本体部１０を備えた針装置収納体であって、前記収納体本体部が軸方向に伸縮可能な伸縮管状部材１３１より構成され、前記伸縮管状部材が収縮・伸長可能なことを特徴とする。【選択図】図１
2010207369.tif 000002
【特許請求の範囲】
【請求項１】
軸方向に長尺の有底円筒形状で、その先端が閉口し、その基端が開口した中空部位が形成され、前記中空部位に針装置が収納可能な収納体本体部を少なくとも備えた針装置収納体であって、
前記収納体本体部は、その先端が閉口した中空部位を有する先端中空部材と、前記先端中空部材の基端部に連設し、収納される針装置の軸方向と周方向の移動を抑止しつつ、針装置を支持可能な段部と、前記段部の基端部に連設し、その基端が開口した中空部位を有する基端中空部材からなり、
前記基端中空部材が、軸方向に伸縮可能な伸縮管状部材より構成され、
前記伸縮管状部材が基端部から先端部に向けた方向に応力負荷した際に軸方向に収縮し、前記伸縮管状部材の基端部末端が正位置より先端側に移動可能であって、
前記応力負荷を解除した際に軸方向に伸長し、前記伸縮管状部材の基端部末端が移動された位置から正位置に移動可能なことを特徴とする針装置収納体。
【請求項２】
前記伸縮管状部材が、先端部から基端部に向けた方向に応力負荷した際に軸方向に伸長し、前記伸縮管状部材の基端部末端が正位置より基端側に移動可能であって、
前記応力負荷を解除した際に、前記伸縮管状部材の基端部末端が移動された位置に制動されることを特徴とする前記請求項１記載の針装置収納体。
【請求項３】
前記伸縮管状部材が蛇腹構造を有してなることを特徴とする前記請求項１または２記載の針装置収納体。
【請求項４】
先端に穿刺可能な針体と、基端に針基部を有し、前記針基部の基端部末端の外周面に外方向に向かって突出した係合突起が備えられた針装置と、
軸方向に長尺の有底円筒形状で、その先端が閉口し、その基端が開口した中空部位が形成され、前記中空部位に針装置が収納可能で、基端部は、軸方向に伸縮可能な伸縮管状部材より構成された収納体本体部と、
前記針装置の係合突起と係合可能なルアーを内周面に備えた略円筒形状のキャップ
が備えられてなる針装置収納体であって、
前記針装置の係合突起と前記キャップのルアーが係合された際に、前記収納体本体部の開口した基端部末端が、前記キャップの基端部末端よりも突出してなるような位置関係に構成され、前記伸縮管状部材が基端部から先端部に向けた方向に応力負荷され、軸方向に収縮した際に、前記キャップの基端部末端が、前記収納体本体部の開口した基端部末端よりも突出してなるような位置関係に構成されることを特徴とする針装置収納体。
【請求項５】
前記伸縮管状部材が、先端部から基端部に向けた方向に応力負荷した際に軸方向に伸長し、前記伸縮管状部材の基端部末端が正位置より基端側に移動可能であって、
前記応力負荷を解除した際に、前記伸縮管状部材の基端部末端が移動された位置に制動されることを特徴とする前記請求項４記載の針装置収納体。
【請求項６】
前記伸縮管状部材が蛇腹構造を有してなることを特徴とする前記請求項４または５記載の針装置収納体。
【請求項７】
前記収納体本体部の基端部の開口部端面に鍔部が設けられてなり、
前記鍔部と接着可能で、前記収納体本体部の開口部を封止する遮蔽体が備えられ、
前記収納体本体部の中空部位と前記遮蔽体とで構成される空間が外部空間と独立し、且つ無菌性を保持するよう封止されたことを特徴とする前記請求項４から６のいずれかの項に記載の針装置収納体。
【発明の詳細な説明】
【技術分野】
【０００１】
本発明は、各種医療療法に用いられる針装置を使用前あるいは使用後に収納する針装置収納体の構造に関する。
【背景技術】
【０００２】
医療機関における各種医療療法において用いられる針装置は、処置対象を穿刺する目的のため、その先端には鋭利な構造が設けられている。このため、針装置には、その先端を被覆可能な針装置収納体（所謂、針カバー）と組み合わせて使用するのが一般的である。
この針装置収納体は、先端部が閉鎖され、基端部が開口した中空形状の略円筒形状を呈している。針装置と針装置収納体を組み合わせるには、針装置の先端を針装置収納体の基端部の開口部分より挿入し、針装置全体を針装置収納体の中空部分に収納することで組み合わせる。これにより、針装置の先端の鋭利な部分が針装置収納体によって被覆され、医療従事者の操作する手指が、針装置の先端に接触したりすることがなくなる。
その結果、針装置の先端にて操作する手指を傷つけたり、針装置の先端に付着した血液等が操作する手指に付着したりすることがなくなるため、安全な操作が得られる効果がある。
【０００３】
このような針装置の穿刺防止を目的とする針装置収納体には、針装置の先端部分のみを被覆してなるものが知られている。しかしながら、このような針装置収納体では、針装置の基端部分、所謂針基部が、針装置収納体の基端部より露出した状態になり、誤って基端部に操作する手指が触れたりすることがある。このため、針装置全体を被覆してなる針装置収納体が知られている。例えば、一端に開口を有し他端が閉止された針カバー本体と、開口端にヒンジでつながる蓋からなる針カバーで、蓋の内側に注射針を針カバー本体内部に案内する直線の溝を形成している針カバーが開示されている（特許文献１参照）。
このような針カバーは、使用後の針装置全体を収納し、針装置のいずれの箇所も外部に露出させることがないため、穿刺防止効果を得るには有用である。しかしながら、本針カバーの本体と蓋はプラスチック製であり、本体に蓋で遮蔽すると、針カバー内の空間が外部空間と遮断され、両者間の通気性が消失する。これにより、針カバー内部の空間に水蒸気や各種ガスを透過させることができず、針カバー内部に収納された針装置を滅菌することができない。従って、本針カバーは使用前の針装置の収納体には適さない。
また、一端に針が装着され、他端に針基を有する穿刺具の針を防護する、中空管形状を有する注射針包装体で、中空管は穿刺具を覆うほど充分な長さを有し、穿刺具の針基と接触することにより穿刺具を固定できる段部を設け、中空管の一端が閉口しており、他端が開口し、開口部にフランジを有し、遮蔽体を接着することにより、穿刺具を無菌的に密封している、少なくとも中空管と遮蔽体からなることを特徴とする注射針包装体が開示されている（特許文献２参照）。
この注射針包装体によれば、針装置全体を収納し、針装置のいずれの箇所も外部に露出させることがない。また、注射針包装体の開口部にはガス透過性の高い遮蔽体が装着される構成であり、注射針包装体内部空間の各種滅菌が可能であり、更に無菌状態を維持することが可能である。このため、針装置の使用後の収納体として有用であるばかりでなく、針装置の使用前の収納体としても適用可能である。
【０００４】
一方、各種医療療法において用いられる針装置には、人体の血管や皮膚を穿刺するための金属製の針装置と、輸液療法に用いられる輸液に特定の薬剤を混合して調製するためのプラスチック製の針装置等が知られている。前記金属製の針装置は、人体に穿刺して使用する場合、通常単回使用であり、複数回使用することはない。前記プラスチック製の針装置は、薬剤を調製するような場合、複数の薬剤を所定時間を空けて調製する場合があり、複数回使用することがある。このような場合、薬剤調製用のプラスチック製の針装置を使用後に針装置収納体に収納して一時保管して使用する。
【０００５】
しかしながら、前記特許文献２記載の注射針包装体の基端部は、遮蔽体を除去すると開口されたままの状態である。このため、前述した針装置の一時保管の際には外気の異物や塵埃等に曝されるおそれがある。
更に、前記特許文献２記載の注射針包装体は、針装置全体を収納し、針装置のいずれの箇所も外部に露出させることがない。このため、前記注射針包装体の基端部は、針装置の基端部を突出させることがないような構成をしている。即ち、前記注射針包装体では、針装置の基端部である針基は、注射針包装体の中空部の奥まった位置に配置されている。
このため、前述した薬剤調製用のプラスチック製の針装置を一時保管して、再度シリンジ等と接続する際には視認性が高いとは言えず、その操作が多少煩雑になるおそれがある。
【先行技術文献】
【特許文献】
【０００６】
【特許文献１】実用新案出願公告平５−２１９７号公報
【特許文献２】特開２００５−１９９０５９号公報
【発明の概要】
【発明が解決しようとする課題】
【０００７】
本発明の針装置収納体は、収納した針装置の汚染を回避することが可能な安全性の高い針装置収納体を提供することを目的としている。
更には、本発明の針装置収納体は、薬剤調製用のプラスチック製の針装置を複数回接続・分離して使用するような場合でも、比較的安全且つ確実にその操作が可能な針装置収納体を提供することを目的としている。
【課題を解決するための手段】
【０００８】
本発明の針装置収納体は、以下の（１）から（７）によって、その課題を解決可能にする。
【０００９】
（１）軸方向に長尺の有底円筒形状で、その先端が閉口し、その基端が開口した中空部位が形成され、前記中空部位に針装置が収納可能な収納体本体部を少なくとも備えた針装置収納体であって、
前記収納体本体部は、その先端が閉口した中空部位を有する先端中空部材と、前記先端中空部材の基端部に連設し、収納される針装置の軸方向と周方向の移動を抑止しつつ、針装置を支持可能な段部と、前記段部の基端部に連設し、その基端が開口した中空部位を有する基端中空部材からなり、
前記基端中空部材が、軸方向に伸縮可能な伸縮管状部材より構成され、前記伸縮管状部材が基端部から先端部に向けた方向に応力負荷した際に軸方向に収縮し、前記伸縮管状部材の基端部末端が正位置より先端側に移動可能であって、前記応力負荷を解除した際に軸方向に伸長し、前記伸縮管状部材の基端部末端が移動された位置から正位置に移動可能なことを特徴とする針装置収納体。
【００１０】
（１）の発明によれば、針装置収納体の収納体本体部の基端中空部材の伸縮管状部材が軸方向に収縮・伸長可能になる。
即ち、針装置収納体の開口した基端部が軸方向の前後に移動可能になる。
これにより、針装置収納体の内部空間に収納する針装置にシリンジ等と接続して使用する際に、針装置収納体の開口する基端部を先端側に移動させ、収納された針装置の接続部位である基端部を露出させることができるため、視認性が向上し、接続操作が容易に可能になる。
また、針装置収納体の開口する基端部の移動操作は、操作手指にて先端側に押圧するような応力負荷をかけることで可能であるので、より安全且つ確実な操作を得ることが可能である。
また、操作手指による応力負荷を解除すれば、針装置収納体の開口する基端部は、移動された先端側の位置から基端側の正位置に移動させることが可能である。
これにより、収納された針装置の基端部を前述した操作で露出させたとしても、再び基端部を被覆させることが可能になり、収納操作がより容易に可能になる。
更には収納後に使用済の針装置として廃棄する際にも針装置が十分に被覆されるので、安全性の高い廃棄操作がより容易に可能になる。
これは、特に針装置の針体から基端部までの針装置全体を収納し、針装置のいずれの箇所も外部に露出させることがない針装置収納体において有用である。
前述した針装置収納体の場合、収納体本体部の開口した基端部末端が、針基の基端部末端よりも突出してなるような位置関係に構成されている。
これにより、針装置の基端部は収納体本体部の中空部位の奥まった位置に配置されてなる構成となり、針装置の基端部にシリンジ等と接続して使用する際に、その接続操作が比較的煩雑であった。
そのため、本発明のような針装置収納体であれば、収納体本体部の基端部が収縮可能であり、収納された針基の基端部を露出させることができ、接続操作時に視覚的に認識することが可能となり、その接続操作が安全且つ確実に可能になる。
更には、本発明の以下の態様において、非常に有用である。
薬剤調製用のプラスチック製の針装置を複数回にわたって使用する場合がある。
この場合、一度薬剤調製に使用した針装置を、次回の薬剤調製に使用するまで、一時保管することがある。この際、収納体本体部の基端部が開口しているため、収納された針装置が異物や塵埃等で汚染される可能性が否定できない。そのため、収納体本体部に収納された針装置の基端部に係合可能なキャップを装着して、収納体本体部の基端部の開口状態を閉口状態にして針装置を保護することがある。このときに、本発明のような針装置収納体であれば、収納体本体部の基端部が収縮可能であり、収納された針基の基端部を露出させることができる。これにより、針装置へのキャップの着脱操作が容易に可能になる効果を奏する。
【００１１】
（２）前記伸縮管状部材が、先端部から基端部に向けた方向に応力負荷した際に軸方向に伸長し、前記伸縮管状部材の基端部末端が正位置より基端側に移動可能であって、
前記応力負荷を解除した際に、前記伸縮管状部材の基端部末端が移動された位置に制動されることを特徴とする上記（１）記載の針装置収納体。
【００１２】
（２）の発明によれば、針装置収納体の収納体本体部の基端中空部材の伸縮管状部材が軸方向に伸長可能になる。
更に、伸長された伸縮管状部材は伸長された状態で保持することが可能である。
これにより、針装置収納体の収納体本体部の中空部位に針装置を収納させても、収納体本体部の基端部が針装置の基端部よりも更に突出してなる構成となる。
このため、収納した針装置を外部空間に露出させることがなく、針装置を収納体本体に確実に収納可能であり、安全性が高い。
【００１３】
（３）前記伸縮管状部材が蛇腹構造を有してなることを特徴とする上記（１）または（２）記載の針装置収納体。
（３）の発明によれば、針装置収納体の伸縮機構を蛇腹構造にて達成するため、それを作用させるための操作が簡単で、その操作の際の負荷応力が少なくて済むため、高い操作性が得られる。
また、針装置収納体の伸縮機構を達成可能にする伸縮管状部材の構成が簡素になり、製造上の観点からも有利である。更には、針装置収納体の収納体本体部を一体的に成形することが可能になり、製造上の工程やコストを考慮しても有利である。
【００１４】
（４）先端に穿刺可能な針体と、基端に針基部を有し、前記針基部の基端部末端の外周面に外方向に向かって突出した係合突起が備えられた針装置と、
軸方向に長尺の有底円筒形状で、その先端が閉口し、その基端が開口した中空部位が形成され、前記中空部位に針装置が収納可能で、基端部は、軸方向に伸縮可能な伸縮管状部材より構成された収納体本体部と、
前記針装置の係合突起と係合可能なルアーを内周面に備えた略円筒形状のキャップ
が備えられてなる針装置収納体であって、
前記針装置の係合突起と前記キャップのルアーが係合された際に、前記収納体本体部の開口した基端部末端が、前記キャップの基端部末端よりも突出してなるような位置関係に構成され、前記伸縮管状部材が基端部から先端部に向けた方向に応力負荷され、軸方向に収縮した際に、前記キャップの基端部末端が、前記収納体本体部の開口した基端部末端よりも突出してなるような位置関係に構成されることを特徴とする針装置収納体。
【００１５】
（４）の発明によれば、針装置収納体が、針装置と、針装置を収納する収納体本体部と、針装置の基端部に係合可能なキャップの３つの要素より構成されている。
これにより、針装置を収納体本体部に収納した上で、針装置の基端部にキャップを係合させるため、針装置の基端部の開口部を被覆することができる。このため、針装置の中空部位を異物や塵埃等の汚染から保護することが可能になる。また、キャップ全体にて収納体本体部の基端部の開口部をほぼ覆うことも可能であり収納体本体部の中空部位の汚染から保護することが可能になる。それらの結果として、針装置収納体に収納する針装置の高い衛生性を得ることが可能になる。
この針装置収納体の態様では、使用直前にキャップを離脱させるため、使用直前まで針装置の衛生性が保たれるため有用である。また、薬剤調製用のプラスチック製の針装置のように複数回にわたって使用する針装置を使用する場合に、針装置を収納体本体部に収納して一時保管する場合に高い衛生性をもって保管することができるため有用である。
更には、本態様によれば、収納体本体部の基端部の伸縮管状部材が伸縮可能となっている。このため、前述した収納体本体部に収納した針装置の基端部に対して、キャップを装着・離脱させる際のそれぞれの操作性が向上する。本態様の針装置収納体は、針装置の係合突起とキャップのルアーが係合された際に、収納体本体部の開口した基端部末端が、キャップの基端部末端よりも突出してなるような位置関係に構成されている。このため、収納された針装置の衛生性を保持するには有用である。
一方、略円筒形状のキャップを装着・離脱させる際には、操作する手指で周縁部を把持しつつ、回転操作を加えて、キャップを装着・離脱する操作が必要となる。
しかしながら、収納体本体部の開口した基端部末端が、キャップの基端部末端よりも突出してなるような位置関係に構成されているために、このキャップを装着・離脱する操作の際には、収納体本体部の開口した基端部末端が、操作する手指と干渉するため、一連の操作が煩雑である。
本態様の針装置収納体は、収納体本体部の基端部の伸縮管状部材が軸方向に伸縮可能な構成を有しているため、収納体本体部の基端部の伸縮管状部材を収縮させて、収納体本体部の開口する基端部末端を正位置より先端側に移動させることが可能である。
これにより、操作する手指により収納体本体部に対して応力負荷して収納体本体部の開口する基端部末端を正位置より先端側に移動させ、収納されたキャップの基端部を、操作する手指にて把持可能な程度に露出させることができる。
その結果、キャップの装着・離脱操作が容易に可能になる効果を奏する。
また、収納体本体部の基端部の伸縮管状部材が軸方向に伸縮可能な構成であるため、
収納された針装置の基端部に、例えば、シリンジ等と接続して使用する際に、その接続部位が視覚的に認識容易になり、その操作性が向上する効果を奏する。
更には、キャップにて針装置の基端部の開口部、収納本体部の基端部の開口部を被覆するため、針装置の使用後の廃棄においても有用である。
即ち、キャップにて各開口部を被覆して、針装置を収納した針装置収納体を針装置に付着した液体（薬剤、血液等）が、各開口部を介して外部に漏れたりすることがない。
このため、より安全性の高い針装置収納体の廃棄操作が可能になる。
【００１６】
（５）前記伸縮管状部材が、先端部から基端部に向けた方向に応力負荷した際に軸方向に伸長し、前記伸縮管状部材の基端部末端が正位置より基端側に移動可能であって、
前記応力負荷を解除した際に、前記伸縮管状部材の基端部末端が移動された位置に制動されることを特徴とする上記（４）記載の針装置収納体。
【００１７】
（５）の発明によれば、針装置収納体の収納体本体部の基端中空部材の伸縮管状部材が軸方向に伸長可能になる。更に、伸長された伸縮管状部材は伸長された状態で保持することが可能である。これにより、針装置収納体の収納体本体部の中空部位に針装置を収納させても、収納体本体部の基端部が針装置の基端部よりも更に突出してなる構成となる。
このため、収納した針装置を外部空間に露出させることがなく、針装置を収納体本体部に確実に収納可能であり、安全性が高い。
【００１８】
（６）前記伸縮管状部材が蛇腹構造を有してなることを特徴とする上記（４）または（５）記載の針装置収納体。
【００１９】
（６）の発明によれば、針装置収納体の伸縮機構を蛇腹構造にて達成するため、それを作用させるための操作が簡単で、その操作の際の負荷応力が少なくて済むため、高い操作性が得られる。また、針装置収納体の伸縮機構を達成可能にする伸縮管状部材の構成が簡素になり、製造上の観点からも有利である。更には、針装置収納体の収納体本体部を一体的に成形することが可能になり、製造上の工程やコストを考慮しても有利である。
【００２０】
（７）前記収納体本体部の基端部の開口部端面に鍔部が設けられてなり、前記鍔部と接着可能で、前記収納体本体部の開口部を封止する遮蔽体が備えられ、前記収納体本体部の中空部位と前記遮蔽体とで構成される空間が外部空間と独立し、且つ無菌性を保持するよう封止されたことを特徴とする上記（４）から（６）のいずれかに記載の針装置収納体。
【００２１】
（７）の発明によれば、針装置収納体の構成、即ち収納体本体部、針装置、キャップに加えて、収納体本体部の開口部を封止する遮蔽体を設けることにより、収納体本体部の中空部位を外部空間と独立した空間を形成することが可能になる。
これにより、針装置収納体の中空部位の外部空間からの異物や塵埃による汚染を防止することができ、収納された針装置、キャップの無菌性を保持することができる。
本発明の態様では、前記遮蔽体は使用直前に開口部端面の鍔部より除去して封止状態を解除して使用に供するため、使用直前まで針装置、キャップの無菌性を保持することができる。このため、本態様では、他の外包材等にて包装することなく、使用に供する製品形態として提供することが可能になる。
また、本態様では、針装置の開口部にキャップが装着されてなる構成である。
このため、前記遮蔽体を開口部端面の鍔部より除去したとしても、キャップにより針装置の開口部に異物や塵埃等により汚染されることがなく、高い衛生性を保持することができる。
また、本態様では、収納体本体部の中空部位に予めキャップが装着されてなる構成である。このため、薬剤調製用のプラスチック製の針装置のように複数回にわたって使用する針装置を使用する場合に、針装置を収納体本体部に収納して一時保管する場合に高い衛生性をもって保管することができる。
更には、使用後の針装置を収納体本体部に収納した後、前記キャップを装着して、針装置、収納体本体部の開口部をそれぞれ被覆するため、より安全性の高い針装置収納体の廃棄操作が可能になる。
【００２２】
尚、本明細書中において「先端」あるいは「基端」との語を使用している。
「先端」とは本発明の針装置収納体における閉口した端部側、針装置の針体側をそれぞれ定義するものである。一方、「基端」とは本発明の針装置収納体における開口した端部側、針装置の針基側をそれぞれ定義するものである。また、各部材の位置関係や方向性を説明する際に「先端部」「基端部」との語を使用しているが、前記定義に基づく相対的な位置関係や方向性を示す語として使用している。
【発明の効果】
【００２３】
本発明によれば、針装置収納体に収納する針装置の使用前、使用後における高い安全性の確保、並びに各操作の安全且つ確実で比較的容易な操作性を確保することが可能になる。即ち、針装置収納体の開口部を有する基端部が、軸方向に伸縮可能な伸縮管状部材より構成されていることにより、針装置を使用する場合、シリンジ等と接続する際に、収納体本体部の基端部を先端側に移動させることができ、針装置の接続箇所である開口部端部を露出させて接続操作が可能になる。
また、針装置収納体に収納された針装置にキャップを装着・離脱する場合も同様に、針装置の接続箇所である開口部端部を露出させて装着・離脱操作が可能になる。
これにより、本発明の針装置収納体は、比較的安全且つ確実にその操作が可能になる効果を奏する。
また、本発明によれば、収納する針装置を針装置収納体にて充分に被覆することができる。
更には、針装置収納体に収納された針装置にキャップをして、その開口部を被覆することができる。
これにより、針装置の使用前の針装置の汚染を回避することが可能な安全性の高い針装置収納体を提供することが可能になる効果を奏する。
更には、使用後の針装置を充分に被覆してなる状態で廃棄することができるため、安全性の高い廃棄操作が可能な針装置収納体を提供することが可能になる効果を奏する。
【図面の簡単な説明】
【００２４】
【図１】本発明の針装置収納体の第１実施形態における正面図
【図２】本発明の針装置収納体の第１実施形態における針装置を収納した際の縦断面図（Ａ、Ｂ）とＸ−Ｘ’線による横断面図（Ｃ）
【図３】本発明の針装置収納体の第２実施形態における正面図（Ａ）と縦断面図（Ｂ）
【図４】本発明の針装置収納体の第３実施形態における縦断面図
【図５】本発明の針装置収納体の針装置における正面図（Ａ）と縦断面図（Ｂ）と平面図（Ｃ）
【図６】本発明の針装置収納体の収納体本体部における正面図（Ａ）と縦断面図（Ｂ）と針装置と係合させた際の縦断面図（Ｃ）
【図７】本発明の針装置収納体の第４実施形態における縦断面図
【図８】本発明の針装置収納体の別の実施形態における平面図
【図９】従来の針装置収納体における正面図（Ａ）と縦断面図（Ｂ）
【発明を実施するための形態】
【００２５】
以下に、本発明の針装置収納体の実施形態について、図面を参照して具体的に説明する。本発明の第１実施形態について、図１〜図２を参照して説明する。図１は、本発明の第１実施形態における針装置収納体１の正面図である。図１Ａは針装置収納体１の収納体本体部１０の基端部の伸縮管状部材１３１が正位置にある状態、図１Ｂは伸縮管状部材１３１が軸方向に収縮した状態をそれぞれ示す。
図１に示した通り、本発明の第１実施形態における針装置収納体１は、軸方向に長尺の有底円筒形状で、その先端が閉口し、その基端が開口した中空部位１４が形成され、前記中空部位１４に針装置２が収納可能な収納体本体部１０を備えている。前記収納体本体部１０は、その先端が閉口した中空部位１４を有する先端中空部材１１と、前記先端中空部材１１の基端部に連設し、収納される針装置の軸方向と周方向の移動を抑止しつつ、針装置を支持可能な段部１２と、前記段部１２の基端部に連設し、その基端が開口した中空部位を有する基端中空部材１３を備えている。また、前記基端中空部材１３は、軸方向に伸縮可能な伸縮管状部材１３１より構成されている。
このように、収納体本体部１０は中空部位を有する軸方向に長尺の有底円筒形状であり、中空部位に針装置を収納して被覆することから、特定の剛性を有し、且つ可撓性を有する材料により構成されている。具体的な材料としては、ポリエチレン、ポリプロピレン、ポリスチレン等の合成樹脂が好適である。
【００２６】
伸縮管状部材１３１は、その基端部に応力負荷することで、基端部から先端部に向けた方向に応力負荷した際に軸方向に収縮し、前記伸縮管状部材１３１の基端部末端を正位置より先端側に移動させることが可能である。また、伸縮管状部材１３１は、前記応力負荷を解除することで、軸方向に伸長し、前記伸縮管状部材１３１の基端部末端が移動された位置から正位置に移動させることが可能である。
【００２７】
図２は、本発明の第１実施形態における針装置収納体における針装置を収納した際の縦断面図である（針装置２は正面図として図示）。図２Ａは針装置収納体の収納体本体部の基端部の伸縮管状部材が正位置にある状態、図２Ｂは伸縮部材が軸方向に収縮した状態をそれぞれ示す。
図２Ａに示した通り、本発明の第１実施形態における針装置収納体１は、その中空部位に針装置２の先端の針体２１から基端の針基２２までの全体を収納して被覆してなる構成である。また、収納体本体部１０の開口した基端部末端が、前記針基２２の基端部末端よりも突出してなるような位置関係に構成されているため、針装置収納体１は針装置２の開口した基端部末端を露出させることなく、収納することが可能である。
一方、図２Ｂに示した通り、本発明の第１実施形態における針装置収納体１は、軸方向に伸縮可能な伸縮管状部材１３１を備えている。伸縮管状部材１３１は、その基端部に応力負荷することで、前記伸縮管状部材の基端部末端を正位置より先端側に移動させることができ、針装置２の基端部末端を露出させることが可能である。また、応力負荷された伸縮管状部材１３１は、その応力負荷を解除することで、前記伸縮管状部材の基端部末端を移動された位置から正位置に移動させることができ、針装置２の基端部末端を被覆することが可能である。
図２Ｃは図２ＡのＸ−Ｘ’線による断面図である。収納体本体部１０の段部１２には、その内周面に中心部に突出してなる段部突起１２１が備えられている。一方、針装置２の針基２２の外周部には外方向に向かって突出してなる係合突起２４が備えられている。針装置収納体１に針装置２を収納する際、両者を係合させて、両者が外れないように収納状態を保持する。この際に段部突起１２１と係合突起２４が係合することで、針装置２の収納される針装置の軸方向と周方向の移動を抑止しつつ、針装置２を支持するよう構成されている。
【００２８】
本発明の第１実施形態における伸縮管状部材１３１は、蛇腹構造であることが好ましい態様である。伸縮管状部材１３１が蛇腹構造を有することにより、伸縮管状部材１３１の軸方向に収縮させる際の操作が、一方向の押圧操作で可能になるため、簡単な操作となり、高い操作性が得られる。
また、伸縮管状部材１３１の構成が簡素になり、伸縮管状部材１３１を有する収納体本体部１０を一体的に成形することが可能になり、製造上の工程やコストの観点から非常に有利である。
本発明の針装置収納体における蛇腹構造には、特定の伸縮性を有することが求められる。即ち、本態様の蛇腹構造では、応力負荷にて収縮され、その応力負荷解除にて元の形状に復元（伸長）するという伸縮性を有することが求められる。
更には、本態様の蛇腹構造の基本特性として、部材としての剛性を有すること、軸方向に直線的な伸縮運動が可能であること、伸縮時に適度な操作力にて操作可能であることが求められる。そのために、蛇腹構造の肉厚、蛇腹の凹凸のピッチ等の各要件を適宜設定することにより、本態様に適した蛇腹構造の伸縮比、屈曲抵抗が得られ、本発明の針装置収納体における伸縮性を得ることが可能になる。
【００２９】
本発明の第１実施形態における針装置収納体によれば、以下のような効果を奏する。
針装置収納体１の収納体本体部１０の基端中空部材１３に軸方向に収縮・伸長可能な伸縮管状部材１３１を設けた。
これにより、操作手指にて基端中空部材１３の末端を先端側に押圧して応力負荷することで、伸縮管状部材１３１を先端側に収縮させることができる。この結果、開口部１５を有する基端中空部材１３の末端を元の正位置より先端側に移動させることになり、収納された針装置の接続部位である針基２２の基端部を露出させることができるため、視認性が向上し、接続・離脱操作が容易に可能になる。
また、基端中空部材１３の末端への応力負荷を解除すると、伸縮管状部材１３１は伸長してその形状が復帰するため、基端中空部材１３の末端は移動させられた先端側の位置から元の正位置に移動させることができる。
この結果、収納された針装置の接続部位である針基２２の開口した基端部を、収納体本体部１０の基端中空部材１３にて被覆することができるため、収納操作並びに廃棄操作がより安全且つ容易に可能になる。
【００３０】
また、伸縮管状部材１３１を蛇腹構造とした。
これにより、伸縮管状部材１３１の伸縮操作の際に、上下左右方向に操作力が分散されることなく、軸方向である前後方向にのみ操作力が加わり、伸縮管状部材１３１の軸方向の軸方向の収縮・伸長運動が可能になる。この結果、収縮・伸長操作が簡単で、その操作の際の負荷応力が少なくて済むため、高い操作性が得られる。また、伸縮管状部材１３１の構成が簡素になり、針装置収納体１の収納体本体部１０を一体的に成形することが可能になり、製造工程が比較的容易になる。
【００３１】
次に本発明の第２実施形態から第４実施形態について説明する。
尚、第１実施形態と同様の点については、上述した第１実施形態に関する説明を適宜適用されるものとし、説明を省略した。
【００３２】
本発明の第２実施形態の針装置収納体１は、図３に示すように、伸縮管状部材１３１が元の形状と比べて、軸方向の基端部側に伸長可能な伸縮性を有する構成である点において第１実施形態と異なる。即ち、第２実施形態の針装置収納体１における伸縮管状部材１３１は、軸方向の基端部側に応力負荷（引張）すると、基端中空部材１３の基端部末端が基端部側に移動し、軸方向に伸長する。
更には、前記応力負荷を解除しても、伸縮管状部材１３１の基端部末端が移動された位置に制動された状態に保持されることにより、伸長された伸縮管状部材は伸長された状態で保持される点において第１実施形態と異なる。
また、本発明の第２実施形態の伸縮管状部材１３１を蛇腹構造とした。上記作用を達成するために、第２実施形態における伸縮管状部材１３１の蛇腹構造は、元の形状より伸長方向に応力負荷した際に、蛇腹構造が連続的に変形し、応力負荷を除いても変形したままで元に戻らない特性、即ち、塑性を有する蛇腹構造を有している。
【００３３】
本発明の第２実施形態における針装置収納体によれば、針装置収納体１の収納体本体部１０の中空部位に針装置２を収納させても、収納体本体部１０の基端部が針装置２の基端部よりも更に突出してなる構成となる。この結果、収納した針装置を外部空間に露出させることがなく、針装置を収納体本体に確実に収納可能であり、安全性が向上する効果が得られる。
【００３４】
本発明の第３実施形態の針装置収納体１は、図４に示すように、収納体本体部１０と、前記収納体本体部１０の中空部位に収納された針装置２と、前記針装置２の針基２２の基端部と係合するキャップ３により構成されている。
針装置２は、図５に示すように、先端に穿刺可能な針体２１と、基端に針基部２２を有し、針基部２２の基端部末端の外周面に外方向に向かって突出した係合突起２４が備えられている。
また、キャップ３は、図６に示すように、片方が開口した略円筒形状で、内周面には内側に向かって突出するルアー３１と、底部の中心より延出するキャップ突起３２が備えられている。キャップ３のキャップ突起３２は、針装置２の開口部に嵌入している。キャップ３のルアー３１は、針装置２の係合突起２４と螺合して係合している。
また、針装置２の係合突起２４とキャップ３のルアー３１が係合された際に、収納体本体部１０の開口した基端部末端が、キャップ３の基端部末端よりも突出してなるような位置関係に構成されている（図４Ａ）。
更には、伸縮管状部材１３１が基端部から先端部に向けた方向に応力負荷され、軸方向に収縮した際に、キャップ３の基端部末端が、収納体本体部１０の開口した基端部末端よりも突出してなるような位置関係に構成されている（図４Ｂ）。
【００３５】
本発明の第３実施形態における針装置収納体によれば、針装置２を収納体本体部１０に収納した上で、針装置２の基端部にキャップ３を係合させるため、針装置２の基端部の開口部を被覆することができる。また、キャップ全体にて収納体本体部１０の基端部の開口部をほぼ覆うことができる。これにより、針装置２の中空部位、収納体本体部１０の中空部位が、異物や塵埃等による汚染を防止することができる。この結果、本実施形態の針装置収納体１（収納体本体部１０、針装置２）における高い衛生性が確保される。
また、本実施形態によれば、針装置２の係合突起２４とキャップ３のルアー３１が係合された際に、収納体本体部１０の開口した基端部末端が、キャップ３の基端部末端よりも突出してなるような位置関係に構成されている。これにより、針装置２の中空部位、収納体本体部１０の中空部位が、異物や塵埃等による汚染を防止することができる。
また、本実施形態によれば、収納体本体部１０の基端部の伸縮管状部材１３１が伸縮可能となっている。これにより、伸縮管状部材１３１を収縮させて、収納体本体部１０の開口した基端部末端を正位置より軸方向の先端側に移動させ、キャップ３の基端部末端を露出させることができる。この結果、キャップ３の外周部を把持してキャップの離脱操作が容易に可能になり、操作性が向上する。
更には、第１実施形態と同様に、伸縮管状部材１３１の伸縮機構によって、収納体本体部１０に収納された針装置２の針基２と、各種接続具（シリンジ、キャップ３等）を接続する際に、その接続部位が視覚的に認識容易になり、その接続時の操作性が向上する効果を奏する。
また、本実施形態によれば、キャップ３にて針装置の基端部の開口部、収納本体部の基端部の開口部を被覆するよう構成されている。これにより、キャップ３にて各開口部を被覆して、針装置２を収納した針装置収納体１を針装置２に付着した液体（薬剤、血液等）が、各開口部を介して外部に漏れたりすることがない。この結果、使用後の針装置２を収容した針装置収納体１の廃棄操作において、安全性が向上する効果が得られる。
【００３６】
尚、第３実施形態においては、本発明の第２実施形態の特徴である、軸方向の基端部側に伸長可能な伸縮性を有する構成を更に付加することもできる。これにより、針装置収納体１の収納体本体部１０の中空部位に針装置２を収納し、針装置２にキャップ３を装着させても、キャップ３の基端部が針装置２の基端部よりも更に突出してなる構成となる。この結果、収納した針装置を外部空間に露出させることがなく、針装置を収納体本体に確実に収納可能であり、安全性が向上する効果が得られる。
【００３７】
本発明の第４実施形態の針装置収納体１は、図７に示すように、収納体本体部１０の基端部の開口部端面に鍔部１６が設けられてなり、鍔部１６と接着可能で、収納体本体部１０の開口部１５を封止する遮蔽体１７が備えられている。また、収納体本体部１０の中空部位１４と遮蔽体１７とで構成される空間は、外部空間と独立し、且つ無菌性を保持するよう封止されている。
【００３８】
本発明の第４実施形態における針装置収納体によれば、遮蔽体１７は使用直前に開口部端面の鍔部１６より除去して封止状態を解除して使用に供するため、使用直前まで針装置２、キャップ３の無菌性を保持することができる。この結果、本実施形態では、針装置収納体１を他の外包材等にて包装することなく、使用に供する製品形態として提供することが可能になる。
【００３９】
また、第４実施形態における遮蔽体１７は、収納体本体部１０の開口部１５を被覆して封止し、外部空間と独立した空間を形成可能な構成であればよい。
遮蔽体１７には、次のような特性が求められる。
（１）収納体本体部１０の鍔部１６と封止可能に接着させることが可能
（２）収納体本体部１０の中空部位１４の無菌性を保持することが可能
（３）収納体本体部１０の中空部位１４を製造工程において滅菌させることが可能
このため、遮蔽体１７は、気体に対して透過性を有し、液体、細菌等に対して不透過性を有する構成が好ましい。遮蔽体１７に用いられる具体的な材質としては、疎水性で多孔質性のプラスチック樹脂製のフィルムが好ましい。より具体的には、不織布、滅菌紙の表面にプラスチック樹脂（例えば、フッ素系樹脂など）をラミネートして得られたフィルムが好ましい。
【００４０】
以上、本発明の好ましい実施形態について説明したが、本発明は上記各実施形態のみに制限されることはなく、各実施形態同士の組合せの態様や、各構成の適宜変更が可能である。
例えば、上記各実施形態においては、収納体本体部１０の基端部末端の鍔部１６を開口部１５の外周部形状に沿った円形形状とする構成として示した。この鍔部１６の形状については、図８に示すように、鍔部１６の円形形状の対抗する位置関係に、外方向に突出する一対の鍔部突起１６１を設ける構成としてもよい。これにより、伸縮管状部材１３１に応力負荷をかけて収縮・伸長させる操作の際に、その操作手指の把持部とすることができ、操作性がより向上する効果を奏する。
【００４１】
また、本発明の第３実施形態、第４実施形態において、針装置収納体１の構成を、収納体本体部１０、針装置２、キャップ３として示した。これにより、収納体本体部１０に収納した針装置２にキャップ３を装着可能にし、収納体本体部１０と針装置２の各開口部を被覆することで、針装置収納体１の中空部位のより高い衛生性を確保可能にした。
また、伸縮管状部材１３１の収縮・伸長機構により、針装置２への各種接続・離脱操作を容易にし、操作性を向上させた。
これら本発明の第３実施形態、第４実施形態における作用効果は、本発明の第１実施形態、第２実施形態における針装置収納体での各種接続具との接続・離脱操作においても、同様の作用効果を奏する。
【符号の説明】
【００４２】
１      針装置収納体
１０    収納体本体部
１１    先端中空部材
１２    段部
１２１  段部突起
１３    基端中空部材
１３１  伸縮管状部材
１４    中空部位
１５    開口部
１６    鍔部
１６１  鍔部突起
１７    遮蔽体
２      針装置
２１    針体
２２    針基
２２１  針基突起
２３    開口部
２４    係合突起
３      キャップ
３１    ルアー
３２    キャップ突起
【図１】
2010207369.tif 000003
【図２】
2010207369.tif 000004
【図３】
2010207369.tif 000005
【図４】
2010207369.tif 000006
【図５】
2010207369.tif 000007
【図６】
2010207369.tif 000008
【図７】
2010207369.tif 000009
【図８】
2010207369.tif 000010
【図９】
2010207369.tif 000011